【手続補正書】
【提出日】平成26年8月11日(2014.8.11)
【手続補正１】
【補正対象書類名】特許請求の範囲
【補正対象項目名】全文
【補正方法】変更
【補正の内容】
【特許請求の範囲】
【請求項１】
前記患者に呼吸療法を送達するための患者インターフェース構造において、
患者の顔の形状に合致するように構成された前面プレートと、
呼吸腔を画定している口クッションであって、前記前面プレートに設けられ、且つ前記患者の口の周囲をシールするように構成された口クッションと、
前記患者の鼻腔をシールするように構成された鼻クッションであって、前記口クッションによって支持され、互いに略平行に配置されたシール壁及び支持壁を含む二重壁構造を有しており、前記患者インターフェース構造が前記患者の顔に取り付けられる場合に前記患者の鼻の鼻梁と接触せず、少なくとも部分的に前記呼吸腔の中に延在しており、それによって、前記患者インターフェース構造が前記患者の顔に取り付けられる場合に、前記患者の鼻の一部は、前記口クッションの最上部分と前記呼吸腔との間で、前記鼻クッションに載置される鼻クッションと、
を備えることを特徴とする、患者インターフェース構造。
【請求項２】
前記前面プレートが可撓性である、請求項１に記載の患者インターフェース構造。
【請求項３】
前記前面プレートが透明材料から形成される、請求項１または２に記載の患者インターフェース構造。
【請求項４】
前記前面プレートがナイロンまたはポリカーボネートから形成される、請求項３に記載の患者インターフェース構造。
【請求項５】
前記前面プレートがほぼ透明の材料から形成される、請求項１または請求項２に記載の患者インターフェース構造。
【請求項６】
前記前面プレートがポリプロピレンから形成される、請求項５に記載の患者インターフェース構造。
【請求項７】
前記前面プレートに色の濃淡がつけられる、請求項１または請求項２に記載の患者インターフェース構造。
【請求項８】
前記前面プレートが、段階的な色の濃淡、パターン化された色の濃淡、または、ランダムな色の濃淡を有する、請求項７に記載の患者インターフェース構造。
【請求項９】
前記前面プレートが、変色する性質を有する、請求項１または請求項２に記載の患者インターフェース構造。
【請求項１０】
前記前面プレートの少なくとも一部分が表面に処理を施される、請求項１から請求項９のいずれか一項に記載の患者インターフェース構造。
【請求項１１】
前記前面プレートの少なくとも一部分がつや消し加工を施される、請求項１から請求項９のいずれか一項に記載の患者インターフェース構造。
【請求項１２】
前記前面プレートには、膜または接着剤層が設けられる、請求項１から請求項１１のいずれか一項に記載の患者インターフェース構造。
【請求項１３】
前記前面プレートが、打ち抜かれる、ドレープが形成される、真空成形される、成形される、鋳造される、または超音波によって切断される、請求項１から請求項１２のいずれか一項に記載の患者インターフェース構造。
【請求項１４】
前記前面プレートが通気孔を備える、請求項１から請求項１３のいずれか一項に記載の患者インターフェース構造。
【請求項１５】
前記通気孔が前記前面プレート内の複数の通気孔の穴を含む、請求項１４に記載の患者インターフェース構造。
【請求項１６】
前記通気孔の穴が前記前面プレートの外周部の周囲に設けられる、請求項１５に記載の患者インターフェース構造。
【請求項１７】
前記通気孔の穴が、前記前面プレートの面全体にわたって設けられた微細穿孔された穴を含む、請求項１５に記載の患者インターフェース構造。
【請求項１８】
前記前面プレートが補強リブを備える、請求項１から請求項１７のいずれか一項に記載の患者インターフェース構造。
【請求項１９】
前記前面プレートが、前記口クッションを位置合わせするためのガイドを備える、請求項１から請求項１８のいずれか一項に記載の患者インターフェース構造。
【請求項２０】
前記前面プレートが、前記患者インターフェース構造を前記患者の口通路および鼻通路と密封係合して配置し、安定化させ、固定するように構成された患者インターフェース構造配置システムに接続するように構成されたコネクタを備える、請求項１から請求項１９のいずれか一項に記載の患者インターフェース構造。
【請求項２１】
各コネクタが、前記患者インターフェース構造配置システムの少なくとも１つのストラップを受けるように構成された少なくとも１つのスロットを備える、請求項２０に記載の患者インターフェース構造。
【請求項２２】
前記少なくとも１つのスロットが２つのスロットを含み、
前記患者インターフェース構造が使用中であり、前記患者インターフェース構造配置システムに接続されるときに、第１のスロットが、前記口クッションをシールする助けとなるように構成され、第２のスロットが、前記鼻クッションをシールする助けとなるように構成された、請求項２１に記載の患者インターフェース構造。
【請求項２３】
前記前面プレートに接続された管コネクタをさらに備える、請求項１から請求項２２のいずれか一項に記載の患者インターフェース構造。
【請求項２４】
前記管コネクタが前記前面プレートの前面に接続される、請求項２３に記載の患者インターフェース構造。
【請求項２５】
前記管コネクタがエルボである、請求項２４に記載の患者インターフェース構造。
【請求項２６】
前記エルボがスイベルエルボまたはボールジョイントエルボである、請求項２５に記載の患者インターフェース構造。
【請求項２７】
前記エルボが前記前面プレートの背面に接続される、請求項２６に記載の患者インターフェース構造。
【請求項２８】
前記前面プレートは、患者インターフェース構造配置システムに接続するように構成されたコネクタを備えており、
前記患者インターフェース構造配置システムは、前記患者の口及び鼻腔とのシール係合で、前記患者インターフェース構造を位置付けし、安定化し、且つ固定するように構成され、
前記エルボが前記コネクタのうちの１つの後方にある、またはこれに隣接する、請求項２７に記載の患者インターフェース構造。
【請求項２９】
前記エルボが前記前面プレートと１つのピースとして形成される、請求項２７または請求項２８に記載の患者インターフェース構造。
【請求項３０】
前記管コネクタまたは前記前面プレート内に設けられた窒息防止弁をさらに備える、請求項２３から請求項２９のいずれか一項に記載の患者インターフェース構造。
【請求項３１】
前記窒息防止弁は、使用の際に呼吸に適したガスの流れが前記患者インターフェース構造に送達されるときに前記管コネクタまたは前記前面プレート内の開口を覆うように構成されたフラップを備える、請求項３０に記載の患者インターフェース構造。
【請求項３２】
前記フラップが通気孔を備える、請求項３１に記載の患者インターフェース構造。
【請求項３３】
前記通気孔が前記フラップ内の複数の通気孔の穴を含む、請求項３２に記載の患者インターフェース構造。
【請求項３４】
前記通気孔の穴が前記フラップに対して細長くなっている、請求項３３に記載の患者インターフェース構造。
【請求項３５】
前記管コネクタが、前記前面プレートの湾曲に対応する湾曲を有する、請求項２３または請求項２４に記載の患者インターフェース構造。
【請求項３６】
前記口クッションが、接着剤または溶接によって前記口クッションの前側部分で前記前面プレートに接続される、請求項１から請求項３５のいずれか一項に記載の患者インターフェース構造。
【請求項３７】
前記口クッションが、前記口クッションの前側部分で前記前面プレートに脱着可能なように接続される、請求項１から請求項３５のいずれか一項に記載の患者インターフェース構造。
【請求項３８】
前記口クッションがクッションクリップによって前記前面プレートに接続される、請求項３７に記載の患者インターフェース構造。
【請求項３９】
前記口クッションの前記前側部分が、前記前面プレートを受けるチャネルを備える、請求項３７に記載の患者インターフェース構造。
【請求項４０】
前記口クッションの上部部分が、前記口クッションの下部部分より大きな幅を有する、請求項３６から請求項３９のいずれか一項に記載の患者インターフェース構造。
【請求項４１】
前記口クッションの対向する側壁がそれぞれ、前記前面プレートのそれぞれのコネクタが貫通するスロットを備える、請求項３６から請求項４０のいずれか一項に記載の患者インターフェース構造。
【請求項４２】
前記口クッションがひだ状の側壁を備える、請求項３６から請求項４１のいずれか一項に記載の患者インターフェース構造。
【請求項４３】
前記口クッションの背面部分が、前記患者の顔をシールするように構成された少なくとも１つのフラップまたはメンブレンを備える、請求項３６から請求項４２のいずれか一項に記載の患者インターフェース構造。
【請求項４４】
前記口クッションが、使用の際に前記患者の鼻の隅部と係合する前記鼻クッションを配置し安定化させるように構成された鼻クッション支持部分を備える、請求項３６から請求項４３のいずれか一項に記載の患者インターフェース構造。
【請求項４５】
前記鼻クッション支持部分が、使用の際に前記患者の鼻孔の広がりに対して前記鼻クッションを配置するように構成された隆起した部分を備える、請求項４４に記載の患者インターフェース構造。
【請求項４６】
前記鼻クッション支持部分が撓曲することを可能にするために、前記口クッションが前記鼻クッション支持部分の周囲にチャネルを備える、請求項４４または請求項４５に記載の患者インターフェース構造。
【請求項４７】
前記鼻クッション支持部分が、前記鼻クッションの少なくとも１つの突出部を受けるように構成された少なくとも１つの凹みを備える、請求項４４から請求項４６のいずれか一項に記載の患者インターフェース構造。
【請求項４８】
前記鼻クッション支持部分が前記鼻クッションの中央部分を支持しない、請求項４４から請求項４７のいずれか一項に記載の患者インターフェース構造。
【請求項４９】
前記口クッションが、ＴＰＥ、ＴＰＵ、シリコーン、膜付きフォーム、膜無しフォーム、ゲル、またはこれらの任意の組み合わせから形成される、請求項３６から請求項４８のいずれか一項に記載の患者インターフェース構造。
【請求項５０】
前記鼻クッションが、ＴＰＥ、ＴＰＵ、シリコーン、膜付きフォーム、膜無しフォーム、ゲル、またはこれらの任意の組み合わせから形成される、請求項３６から請求項４９のいずれか一項に記載の患者インターフェース構造。
【請求項５１】
前記口クッションの前記前側部分が約３０〜５０のショアＡデュロメータを有し、前記少なくとも１つのフラップまたはメンブレンが約５〜１０のショアＡデュロメータを有する、請求項４３から請求項５０のいずれか一項に記載の患者インターフェース構造。
【請求項５２】
前記口クッションの前記前側部分が約４０のショアＡデュロメータを有し、前記少なくとも１つフラップまたはメンブレンが約７のショアＡデュロメータを有する、請求項５１に記載の患者インターフェース構造。
【請求項５３】
前記鼻クッションが約３０〜５０のショアＡデュロメータを有する、請求項５１に記載の患者インターフェース構造。
【請求項５４】
前記鼻クッションが約４０のショアＡデュロメータを有する、請求項５３に記載の患者インターフェース構造。
【請求項５５】
前記鼻クッションが約５〜１０のショアＡデュロメータを有する、請求項５１に記載の患者インターフェース構造。
【請求項５６】
前記鼻クッションが約７のショアＡデュロメータを有する、請求項５５に記載の患者インターフェース構造。
【請求項５７】
前記口クッションの側壁に設けられた管カフであって、呼吸に適したガスの流れを送達する管に接続するように構成された管カフをさらに備える、請求項３６から請求項５５のいずれか一項に記載の患者インターフェース構造。
【請求項５８】
前記管カフが前記口クッションまたは前記前面プレートと一体的に形成される、請求項５７に記載の患者インターフェース構造。
【請求項５９】
前記管カフが前記口クッションまたは前記前面プレートに付着される、請求項５７に記載の患者インターフェース構造。
【請求項６０】
前記管カフが可撓性である、請求項５７から請求項５９のいずれか一項に記載の患者インターフェース構造。
【請求項６１】
請求項１から請求項６０のいずれか一項に記載の患者インターフェース構造と、
前記患者インターフェース構造を前記患者の顔と密封係合して配置し、安定化させ、および固定するように構成された患者インターフェース構造配置システムと、
を備える患者インターフェースシステム。
【請求項６２】
前記患者インターフェース構造配置システムが、
前記患者の頭部の頭頂部をカップ状に取り囲むように構成された頭頂部ストラップと、
前記頭頂部ストラップに接続された１対の上側ストラップであって、前記頭頂部ストラップから前記患者の耳の上に延在して前記前面プレートに接続するように構成された１対の上側ストラップと、
前記前面プレートに接続された１対の下側ストラップであって、前記患者の耳の下に延在するように構成された１対の下側ストラップと、
を備える、請求項６１に記載の患者インターフェースシステム。
【請求項６３】
前記下側ストラップの少なくとも１つが、前記頭頂部ストラップ上のループを貫通する、請求項６２に記載の患者インターフェースシステム。
【請求項６４】
前記１対の上側ストラップが、前記頭頂部ストラップに隣接してより大きな幅を有する、請求項６２または請求項６３に記載の患者インターフェースシステム。
【請求項６５】
前記口クッションの患者に面する側は、孔の少なくとも１部を画定しており、前記口クッションによって画定した前記孔の上部分の下に延在する、請求項１に記載の患者インターフェースシステム構造。